(57)【要約】      （修正有）【課題】在宅看護における口腔ケアに好適であり、医療従事者以外でも一人で操作が容易、且つ、安価で安全性も高い生体洗浄器を提供する。【解決手段】口腔内を洗浄するブラシ部１７０と、ブラシ部を手指に固定するブラシ側固定部１４０と、洗浄液１２０を洗浄対象部位に吐出する洗浄液吐出部１６０と、洗浄後の洗浄済み液１３０を吸引する吸引部１９０とを備え、手動式ポンプ１０により加圧して洗浄液を洗浄液吐出部から洗浄対象部位に吐出し、手動式ポンプにより減圧して洗浄後の洗浄済み液を吸引することを特徴とする生体洗浄器１を提供する。【選択図】図１
2017143967.tif 000002
【特許請求の範囲】
【請求項１】
口腔内を洗浄するブラシ部と、
前記ブラシ部を手指に固定するブラシ側固定部と
洗浄液を洗浄対象部位に吐出する洗浄液吐出部と、
洗浄後の洗浄済み液を吸引する吸引部と、
を備えることを特徴とする生体洗浄器。
【請求項２】
前記吸引部を手指に固定する吸引側固定部を、更に備えることを特徴とする請求項１に記載の生体洗浄器。
【請求項３】
前記ブラシ側固定部は、手指が挿入されるサック状であることを特徴とする請求項１または請求項２に記載の生体洗浄器。
【請求項４】
前記洗浄液吐出部は、前記ブラシ側固定部に保持されることを特徴とする請求項１から請求項３のいずれか一の請求項に記載の生体洗浄器。
【請求項５】
前記ブラシ部は交換可能であることを特徴とする請求項１から請求項４のいずれか一の請求項に記載の生体洗浄器。
【請求項６】
前記ブラシ側固定部に、前記洗浄液の吐出状態と止水状態を切り替える制御部が設けられることを特徴とする請求項１から請求項５のいずれか一の請求項に記載の生体洗浄器。
【請求項７】
加圧及び減圧が実行可能な手動式ポンプと、
前記手動式ポンプの加圧側接続部に接続される、前記洗浄液を貯める洗浄液貯蔵部と、
前記洗浄液貯蔵部に接続され前記洗浄液を前記洗浄液吐出部まで導く導管と
を備え、
前記洗浄液貯蔵部から前記洗浄液吐出部までの前記洗浄液の流路の途中には、前記洗浄液の吐出状態と止水状態を切り替える制御部が更に設けられることを特徴とする請求項１から請求項５のいずれか一の請求項に記載の生体洗浄器。
【請求項８】
前記手動式ポンプから前記洗浄液貯蔵部までの加圧経路の途中、または、前記洗浄液貯蔵部には、前記洗浄液の吐出圧が一定の圧力以上にならないように圧力を調整する圧力調整弁が更に設けられることを特徴とする請求項７に記載の生体洗浄器。
【請求項９】
前記手動式ポンプの減圧側接続部に接続される、前記洗浄済み液を回収する回収部と、
前記回収部と前記吸引部を接続する吸引管と、
を更に備えることを特徴とする請求項７または請求項８に記載の生体洗浄器。
【請求項１０】
口腔内を照らす照明部を更に備えることを特徴とする請求項１から請求項９のいずれか一の請求項に記載の生体洗浄器。
【請求項１１】
口腔内を、手指に固定されたブラシにより洗浄する洗浄ステップと、
手動式ポンプにより加圧して洗浄液を洗浄液吐出部から洗浄対象部位に吐出する洗浄液吐出ステップと、
洗浄液貯蔵部から前記洗浄液吐出部までの前記洗浄液の流路の途中に設けられた前記洗浄液の吐出状態と止水状態を切り替える制御部により前記洗浄液の吐出を制御する制御ステップと、
前記手動式ポンプにより減圧して洗浄後の洗浄済み液を吸引する吸引ステップと、
を備えることを特徴とする生体洗浄方法。
【発明の詳細な説明】
【技術分野】
【０００１】
本発明は、生体洗浄に関し、例えば口腔内を洗浄する技術に関する。
【背景技術】
【０００２】
日本人の死因において最も多いのは悪性新生物、いわゆる癌である。癌治療は日進月歩であり、癌から生還して社会復帰する患者も増加している。しかし抗癌剤治療等により、患者は感染に弱くなり、肺炎等の感染症で死亡する例も多い。他方、高齢化に伴い、老化による嚥下障害等から誤飲性肺炎で死亡する例もまた増えてきている。近年、このような感染症対策として口腔ケアが有効であることが認識されるようになってきている。しかし、自ら十分な口腔洗浄のできない患者に対する口腔ケアは、複数の看護師が時間をかけて行わざるを得ず、看護師不足が著しい現在、口腔ケア自体が拡がらないという実態がある。更に在宅看護が増加している実情を踏まえ、医療従事者でない一般人にも口腔ケアを可能にする装置の必要性も高まっている。
【０００３】
本願の発明者の一人は特許文献１に開示されるように生体洗浄器の発明において、洗浄済み液の吸引を電池による動力で可能にする口腔ケアシステムを考案した（図６および図７を参照）。なお、洗浄液の吐出については、図７に示すように洗浄液貯蔵部６０をハンドル部５００よりも高い位置に設置することで重力を利用しており、特別な動力を必要としない。図６に示す生体洗浄器４００においては、ハンドル部５００の先端にブラシ部１７０を設けて患者の口腔内の生体組織に接触させ、汚れや菌をこすり落とすが、その際、洗浄液を洗浄液吐出部１６０から吐出する。洗浄液吐出部１６０から吐出される洗浄液の量は、洗浄液注入スイッチ４３０によって制御される。洗浄済み液を唾液等の体液や汚れ等と共に吸引するため吸引部１９０を更に設けている。洗浄済み液は、電池４６０を動力源とするモーター４２０が回転させる回転子４１０により吸引され、洗浄済み液用配管５２０を通じて集められ、最終的には回収部１００に回収される（図７参照）。
【先行技術文献】
【特許文献】
【０００４】
【特許文献１】特開２０１３−７５０３３号公報
【発明の概要】
【発明が解決しようとする課題】
【０００５】
しかし、従来の口腔ケアシステムは、口腔内または口腔近傍でモーターを使うため感電など安全上の問題が残っており、操作性についても十分とは言えなかった。
【０００６】
本発明は、斯かる実情に鑑み、在宅看護における口腔ケアに好適であり、一般人でも操作が容易、且つ、安価で安全性も高い生体洗浄器を提供しようとするものである。
【課題を解決するための手段】
【０００７】
（１）本発明は、口腔内を洗浄するブラシ部と、前記ブラシ部を手指に固定するブラシ側固定部と洗浄液を洗浄対象部位に吐出する洗浄液吐出部と、洗浄後の洗浄済み液を吸引する吸引部とを備えることを特徴とする生体洗浄器を提供する。
【０００８】
上記（１）に記載の発明によれば、洗浄液を吐出する洗浄液吐出部と、洗浄後の洗浄済み液を吸引する吸引部を備え、口腔内を洗浄するためのブラシ部を手指に固定することができる生体洗浄器を実現することが可能なので、一人の術者が片手又は両手で患者の口腔ケアをすることができる。
【０００９】
（２）本発明は、前記吸引部を手指に固定する吸引側固定部を、更に備えることを特徴とする上記（１）に記載の生体洗浄器を提供する。
【００１０】
上記（２）に記載の発明によれば、洗浄後の洗浄済み液を吸引する吸引部を手指に固定することが更に可能になるので、手指の自由度が増し、一人の術者が片手又は両手で患者の口腔ケアをすることが容易になるという効果を奏する。
【００１１】
（３）本発明は、前記ブラシ側固定部が、手指が挿入されるサック状であることを特徴とする上記（１）または（２）に記載の生体洗浄器を提供する。
【００１２】
上記（３）に記載の発明によれば、口腔内を洗浄するブラシ部を固定するブラシ側固定部が、手指を挿入可能なサック状であるため、ブラシ部の手指への固定が確実になり、且つ、洗浄が容易になる効果を奏する。
【００１３】
（４）本発明は、前記洗浄液吐出部が、前記ブラシ側固定部に保持されることを特徴とする上記（１）乃至（３）のいずれかに記載の生体洗浄器を提供する。
【００１４】
上記（４）に記載の発明によれば、洗浄液吐出部が、前記ブラシ側固定部に保持されるため、術者の手指の自由度が増し、一人の術者が片手又は両手で患者の口腔ケアをすることが更に容易になるという効果を奏する。
【００１５】
（５）本発明は、前記ブラシ部が交換可能であることを特徴とする上記（１）乃至（４）のいずれかに記載の生体洗浄器を提供する。
【００１６】
上記（５）に記載の発明によれば、ブラシ部のみの交換できるようになるため、安価に常に新しく清潔なブラシ部で口腔ケアが可能になり、且つ、感染症のリスクを下げられるという著しい効果を奏する。
【００１７】
（６）本発明は、前記ブラシ側固定部に、前記洗浄液の吐出状態と止水状態を切り替える制御部が設けられることを特徴とする上記（１）乃至（５）のいずれかに記載の生体洗浄器を提供する。
【００１８】
上記（６）に記載の発明によれば、ブラシ側固定部に洗浄液の吐出状態と止水状態を切り替える制御部が設けられるので、ブラシを固定する指以外の残りの手指で洗浄液の制御が可能になり、必要な時にだけ洗浄液を吐出でき、片手での洗浄操作が可能になる効果を奏する。
【００１９】
（７）本発明は、加圧及び減圧が実行可能な手動式ポンプと、前記手動式ポンプの加圧側接続部に接続される、前記洗浄液を貯める洗浄液貯蔵部と、前記洗浄液貯蔵部に接続され前記洗浄液を前記洗浄液吐出部まで導く導管とを備え、前記洗浄液貯蔵部から前記洗浄液吐出部までの洗浄液の流路の途中には、洗浄液の吐出状態と止水状態を切り替える制御部が更に設けられることを特徴とする上記（１）乃至（５）のいずれかに記載の生体洗浄器を提供する。
【００２０】
上記（７）に記載の発明によれば、洗浄液の吐出の動力として手動式ポンプのみを使用することから、感電の心配もなく、故障も少ない。したがって安全、且つ、安価な生体洗浄器を実現できる。更に洗浄液貯蔵部から洗浄液吐出部までの洗浄液の流路の途中に、洗浄液の吐出状態と止水状態を切り替える制御部が設けられることにより、必要な時にだけ洗浄液を吐出でき、効率的な口腔ケアが可能になる効果を奏する。
【００２１】
（８）本発明は、前記手動式ポンプから前記洗浄液貯蔵部までの加圧経路の途中、または、前記洗浄液貯蔵部には、前記洗浄液の吐出圧が一定の圧力以上にならないように圧力を調整する圧力調整弁が更に設けられることを特徴とする上記（６）に記載の生体洗浄器を提供する。
【００２２】
上記（８）に記載の発明によれば、手動式ポンプから洗浄液貯蔵部までの加圧経路の途中、または、洗浄液貯蔵部に、洗浄液の吐出圧が一定の圧力以上にならないよう圧力を調整する圧力調整弁が更に設けられるので、操作技術が未熟な術者であっても、安全な圧力範囲内の洗浄液の吐出が保証されるという効果を奏する。
【００２３】
（９）本発明は、前記手動式ポンプの減圧側接続部に接続される、前記洗浄済み液を回収する回収部と、前記回収部と前記吸引部を接続する吸引管と、を更に備えることを特徴とする上記（７）または（８）に記載の生体洗浄器を提供する。
【００２４】
上記（９）に記載の発明によれば、洗浄済み液を吸引する動力として手動式ポンプのみを使用することから、感電の心配もなく、故障も少ない。したがって安全、且つ、安価な生体洗浄器を実現できる。
【００２５】
（１０）本発明は、口腔内を照らす照明部を更に備えることを特徴とする上記（１）乃至（９）のいずれかに記載の生体洗浄器を提供する。
【００２６】
上記（１０）に記載の発明によれば、本生体洗浄器自体に口腔内を照らす照明部を更に備えることから、術者は口腔内の汚れを更に良く認識できるようになり、効果的な口腔ケアが可能になる。
【００２７】
（１１）本発明は、口腔内を手指に固定されたブラシにより洗浄する洗浄ステップと、手動式ポンプにより加圧して洗浄液を洗浄液吐出部から洗浄対象部位に吐出する洗浄液吐出ステップと、洗浄液貯蔵部から前記洗浄液吐出部までの前記洗浄液の流路の途中に設けられた前記洗浄液の吐出状態と止水状態を切り替える制御部により前記洗浄液の吐出を制御する制御ステップと、前記手動式ポンプにより減圧して洗浄後の洗浄済み液を吸引する吸引ステップと、を備えることを特徴とする生体洗浄方法を提供する。
【００２８】
上記（１１）に記載の発明によれば、装置の操作に未熟な術者一人であっても、安全、且つ、安価な口腔ケアが可能な生体洗浄方法を実現できる。
【発明の効果】
【００２９】
本発明によれば、洗浄液を吐出する洗浄液吐出部と、洗浄後の洗浄済み液を吸引する吸引部を備え、口腔内を洗浄するためのブラシ部を手指に固定することができる生体洗浄器を実現することが可能なので、一人の術者が片手又は両手で、効果的な患者の口腔ケアをすることができる。
【図面の簡単な説明】
【００３０】
【図１】本発明の実施形態に係る生体洗浄器の全体構成図である。
【図２】ブラシ部を固定するブラシ側固定部の説明図である。
【図３】（Ａ）手動式ポンプの構造を示す説明図である。（Ｂ）手動式ポンプの加圧動作を説明する説明図である。（Ｃ）手動式ポンプの減圧動作を説明する説明図である。
【図４】洗浄液の吐出を制御する制御部の例である弁の構造を説明する断面図である。
【図５】（Ａ）両手に生体洗浄器を装着しておこなう口腔ケアの動作を説明する説明図である。  （Ｂ）片手に生体洗浄器のブラシ部と吸引部の両者を装着しておこなう口腔ケアの動作を説明する説明図である。
【図６】従来の生体洗浄器の断面図である。
【図７】従来の生体洗浄器の全体構成を説明する説明図である。
【発明を実施するための形態】
【００３１】
以下、本発明の実施の形態を添付図面を参照して説明する。図１〜図５は発明を実施する形態の一例であって、図中、同一の符号を付した部分は同一物を表わす。なお、各図において一部の構成を適宜省略して、図面を簡略化する。そして、部材の大きさ、形状、厚みなどを適宜誇張して表現する。
【００３２】
図１は、生体洗浄器１の全体構成を示す。生体洗浄器１は、口腔内を洗浄するブラシ部１７０と、ブラシ部１７０を手指に固定するブラシ側固定部１４０と、洗浄液１２０を洗浄対象部位３５０（図５参照）に吐出する洗浄液吐出部１６０と、洗浄後の洗浄済み液１３０を吸引する吸引部１９０と、加圧及び減圧が実行可能な手動式ポンプ１０と、手動式ポンプ１０の加圧側接続部８０に接続される、洗浄液１２０を貯める洗浄液貯蔵部６０と、手動式ポンプ１０の減圧側接続部７０に接続される、洗浄済み液１３０を回収する回収部１００と、回収部１００と吸引部１９０を接続する吸引管１１０と、ブラシ側固定部１４０の先端近傍に設けた、口腔内を照らす照明部１８０で主に構成される。
【００３３】
ブラシ部１７０の材質は、毛の部分はナイロンであり、毛を植え付ける台座ごと交換可能である。ブラシ部１７０のみの交換できるようになるため、安価に常に新しく清潔なブラシ部１７０で口腔ケアが可能になり、且つ、感染症のリスクを下げられるという著しい効果を奏する。
【００３４】
ブラシ側固定部１４０は、材質はシリコーンゴムであり、手指が挿入可能なサック状である。口腔内を洗浄するブラシ部１７０を固定するブラシ側固定部１４０が、手指を挿入可能なサック状であるため、ブラシ部１７０の手指への固定が確実になり、且つ、洗浄対象部位３５０の洗浄が容易になる効果を奏する（図５参照）。ブラシ側固定部１４０の手指を挿入する開口部２１０にはスリットを設けて着脱を容易にしてもよい。
【００３５】
またブラシ側固定部１４０およびブラシ部１７０を、例えばシリコーンゴムで一体成型しても良い。口腔内に直接触れる部材を、ディスポーザブル（使い捨て）にすることで衛生面での危険を最小限にすることが可能になる。
【００３６】
なお、ブラシ側固定部１４０は、手指にブラシ部１７０等が手指に固定できればよく、例えば図３（Ａ）のような環状リング１４０Ａで構成されてもよく、図３（Ｂ）のように、手指の太さに合わせられるよう、弾性体１４１を利用したクリップ構造１４０Ｂを有する形状であってもよい。
【００３７】
加圧経路に該当する加圧パイプ３０と、洗浄液貯蔵部６０は、加圧に耐えられる程度の十分な強度をもつことが必要であり、加圧パイプ３０の材質としては、医療用として使用されるエチレン酢酸ビニル製のチューブでよく、洗浄液貯蔵部６０の材質としては、例えばナイロンとポリエチレンのラミネート材からなる医療用のソフトバック等を使用できる。また減圧パイプ９０、吸引管１１０、回収部１００は、減圧により潰れてしまわない程度の強度と内径を持つことが望ましい。減圧パイプ９０、吸引管１１０の材質は、上記の加圧パイプ３０と同様でよいが、内径は大きく、肉厚も強度を持たせるため加圧パイプ３０よりは厚いことが望ましい。回収部１００の材質は、例えばポリエチレンテレフタレート（ＰＥＴ）で、肉厚なものなどが望ましい。
【００３８】
手動式ポンプ１０から洗浄液貯蔵部６０までの加圧経路の途中、または、洗浄液貯蔵部６０には、洗浄液１２０の吐出圧が一定の圧力以上にならないように圧力を調整する圧力調整弁２０が更に設けられる。操作技術が未熟な術者であっても、安全な圧力範囲内の洗浄液１２０の吐出が保証されるという効果を奏する。
【００３９】
生体洗浄器１が口腔内を照らす照明部１８０を更に備えることから、術者は口腔内の汚れを更に良く認識できるようになり、効果的な口腔ケアが可能になる。照明部１８０としては、ＬＥＤとボタン電池を組み合わせたものをポリマー素材で封止したものでよい。また、照明部１８０をブラシ側固定部１４０内に一体封止しても良い。あるいは光源と電池等は口腔外にあたる部分に設けて、口腔内までは樹脂製の光ファイバーで導いてもよい。
【００４０】
また生体洗浄器１は、洗浄液貯蔵部６０に接続され、洗浄液１２０を洗浄液吐出部１６０まで導く導管５０を備え、洗浄液貯蔵部６０から洗浄液吐出部１６０までの洗浄液１２０の流路の途中には、洗浄液１２０の吐出状態と止水状態を切り替える制御部１５０が更に設けられる。洗浄液吐出部１６０は、ブラシ側固定部１４０に保持される。このような構成にすることで、必要な時にだけ洗浄液１２０を吐出でき、効率的な口腔ケアが可能になる効果を奏する。洗浄液貯蔵部６０には圧力計４０を備え、適正な圧力で洗浄液１２０が吐出されることを確認できる。圧力計４０は加圧パイプ３０の途中に設けてもよい。
【００４１】
また生体洗浄器１は、吸引部１９０を手指に固定する吸引側固定部２００を備える。吸引側固定部２００は吸引部１９０を保持する部分を有し、環状をなし、手指挿入開口部２２０から指を挿入して、手指に吸引部１９０を固定する。洗浄後の洗浄済み液１３０を吸引する吸引部１９０を手指に固定できるので、手指の自由度が増し、一人の術者が片手又は両手で患者の口腔ケアをすることが容易になるという効果を奏する。例えば、残りの手指で口元を開きながら、吸引部１９０で洗浄済み液１３０を吸引することができる。
【００４２】
図３（Ａ）に手動式ポンプ１０の構造を示す。手動式ポンプ１０としては、加圧および減圧が実行可能な、いわゆるエアステップポンプが望ましい。手動式ポンプ１０は、蛇腹２４０と、蛇腹２４０の中に仕込まれた弾性体２３０と、減圧側逆止弁２５０と加圧側逆止弁２６０から構成される。減圧側逆止弁２５０側には減圧側接続部７０が設けられて減圧パイプ９０が接続され、加圧側逆止弁２６０側には加圧側接続部８０が設けられて加圧パイプ３０が接続される。図３（Ｂ）と図３（Ｃ）を用いて、手動式ポンプ１０の動作を説明する。
【００４３】
図３（Ｂ）は手動式ポンプ１０の上部１０Ａ側から力を加えて蛇腹２４０をつぶした様子を示す。このときキャビティ３００の容積は小さくなり、圧力が高まる。すると加圧側逆止弁２６０は開状態になって、加圧パイプ３０を通じて洗浄液貯蔵部６０に圧力が加えられる。その結果として、洗浄液１２０は圧力がかかった状態で準備されることになり、制御部１５０を制御することで洗浄液吐出部１６０から吐出される。なお加圧側逆止弁２６０は閉状態を保つ。
【００４４】
さて、手動式ポンプ１０の上部１０Ａへの力を除去すると、弾性体２３０の回復力により蛇腹２４０は元通りになり、キャビティ３００の容積は広がる。このとき減圧側逆止弁２５０が開状態になって、減圧パイプ９０を通じて回収部１００が減圧される。その結果として回収部１００に接続されている吸引管１１０を通じて吸引部１９０から、洗浄済み液１３０が口腔から吸引され回収部１００に回収される。なお吸引管１１０または吸引部１９０に制御弁を設けて必要なときだけ吸引するようにしてもよい。
【００４５】
洗浄液１２０の吐出および洗浄済み液１３０の吸引の動力として、手動式ポンプ１０のみを使用することから、安全、且つ、安価な生体洗浄器１を実現できる。
【００４６】
図４は、制御部１５０を形成する弁の例を示す。弁は両端にコネクタ１５７Ａと１５７Ｂを備え、常時閉状態である（図４（Ａ）参照）。コネクタ１５７には、それぞれ、導管５０と洗浄液吐出部１６０につながるチューブを接続する。コネクタ１５７に連続して弾性を有する樹脂部材１５６と硬い樹脂部材１５８から構成される弁箱が設けられ、弁体１５９で流路を封鎖している。図４（Ｂ）のように制御部１５０の上部１５０Ａを矢印の方向に押し込むと、弁体１５９も押されて歪み、開口部１５２が流路となって洗浄液１２０を流すこととなる。このような制御部１５０をブラシ側固定部１４０に保持するように設けると、後述する図５のように片手で洗浄液１２０の吐出制御と、ブラシ部１７０による洗浄が可能になる。
【００４７】
図５では、生体洗浄器１による口腔ケアの手順を説明する。図５（Ａ）では、左手の手指に洗浄のためのブラシ部１７０および洗浄液吐出部１６０等を装着し、右手の手指に吸引部１９０を装着する。もちろん上記左手と右手については、逆であってもよく、また同一の人の手でも、複数の人の手でも良い。まず洗浄液貯蔵部６０に洗浄液１２０を入れ、手動式ポンプ１０（図示省略）を数度押し込み、洗浄液貯蔵部６０を適正圧力まで加圧する。次に手指にブラシ側固定部１４０を装着して、指腹でブラシ部１７０を押して、洗浄対象部位３５０の洗浄、磨きを可能な状態にする。そして制御部１５０を別の指１５５で押すことで、洗浄液吐出部１６０から洗浄液１２０を吐出させ、効果的な洗浄を可能にする。吸引側固定部２００の手指挿入開口部２２０に手指を挿入しておき、その指を口腔内に入れて減圧された吸引部１９０でもって、唾液等の体液や汚れ等と共に洗浄済み液１３０を吸引する。吸引は手動式ポンプ１０を動作させるときにしか行われないため、なんら措置がとられなければ、連続的に吸引をおこなうと、手動式ポンプ１０の加圧側の圧力は過剰に高まる危険性がある。しかし本構成の場合、加圧経路には圧力調整弁２０が備えられているので、過剰な圧力で洗浄液１２０が吐出され得ることはない。
【００４８】
なお吸引管１１０の途中に制御部１５０と同様な弁を設けて、必要なときだけ吸引できるようにしてもよい。このとき弁を閉じた状態で手動式ポンプ１０を動作させると回収部１００が減圧され、低い圧力が保持されるようにしてよい。
【００４９】
図５（Ｂ）には、左手の手指だけに、生体洗浄器１のブラシ部１７０、洗浄液吐出部１６０、吸引部１９０等を装着して口腔ケアを行う場合を示す。このような使用方法が可能になれば、右手の手指が自由になるので、口元を開けておく等、口腔ケアを行う術者にとって作業の効率化につながる。
【００５０】
以上、本発明の生体洗浄器における実施形態について説明したが、本発明は説明した実施形態に限定されるものではなく、各請求項に記載した範囲において各種の変形を行うことが可能である。
【００５１】
例えば、説明した実施形態では、ブラシ側固定部１４０と吸引側固定部２００は別体としたが、一体としてもよい。この場合、吸引部１９０側にも吸引動作の駆動と停止を制御する制御部を設けることが望ましい。このような構成にすることで、片手ですべての操作が可能になる。
【符号の説明】
【００５２】
１    生体洗浄器
１０    手動式ポンプ
２０    圧力調整弁
３０    加圧パイプ
４０    圧力計
５０    導管
６０    洗浄液貯蔵部
７０    減圧側接続部
８０    加圧側接続部
９０    減圧パイプ
１００    回収部
１１０    吸引管
１２０    洗浄液
１３０    洗浄済み液
１４０    ブラシ側固定部
１５０    制御部
１６０    洗浄液吐出部
１７０    ブラシ部
１８０    照明部
１９０    吸引部
２００    吸引側固定部
２１０    手指挿入開口部
２２０    手指挿入開口部
２３０    弾性体
２４０    蛇腹
２５０    減圧側逆止弁
２６０    加圧側逆止弁
３００    キャビティ
３２０    手指
３５０    洗浄対象部位
４００    従来の生体洗浄器
４１０    回転子
４２０    モーター
４３０    洗浄液注入スイッチ
４４０    制御回路
４５０    絶縁性駆動軸
４６０    電池
５００    ハンドル部
５１０    洗浄液導管
５２０    洗浄済み液用配管
【図１】
2017143967.tif 000003
【図２】
2017143967.tif 000004
【図３】
2017143967.tif 000005
【図４】
2017143967.tif 000006
【図５】
2017143967.tif 000007
【図６】
2017143967.tif 000008
【図７】
2017143967.tif 000009